(57)【要約】  本発明は、パノラマセンサー、ＣＴセンサーまたは頭部計測センサーの取り付けまたは取り外しに応じて、当該モードを有するパノラマ、ＣＴ、および頭部計測撮影装置に自動変換可能で、これにより当該モードの画像を一挙に撮影することが可能なＸ線撮影装置に関する。【選択図】図１
2010505585.tif 000002
【特許請求の範囲】
【請求項１】
Ｘ線を発生させるＸ線光源部と、前記Ｘ線光源部から発生したＸ線を検出するＸ線センサー部を備えるＸ線撮影装置において、
前記Ｘ線センサー部は、パノラマセンサー、ＣＴセンサーおよび頭部計測センサーよりなる群から選ばれたいずれか一つのセンサーが取り外し可能に取り付けられる少なくとも一つのＸ線センサー取付部を備え、
前記Ｘ線撮影装置は、パラノマセンサー、ＣＴセンサーおよび頭部計測センサーよりなる群から選ばれたいずれか一つのセンサーをいずれか一つのＸ線センサー取付部に取り付ければ、当該Ｘ線撮影装置に転換されることを特徴とする、Ｘ線撮影装置。
【請求項２】
Ｘ線を発生させるＸ線光源部と、前記Ｘ線光源部から発生したＸ線を検出するＸ線センサー部を備えるＸ線撮影装置において、
前記Ｘ線センサー部は、パノラマセンサーが取り外し可能に取り付けられる第１センサー取付部、およびＣＴセンサーを備え、
前記Ｘ線撮影装置は、前記パノラマセンサーを前記第１センサー取付部に取り付ければ、パノラマ撮影装置に転換され、前記パノラマセンサーを前記第１センサー取付部から取り外せば、ＣＴ撮影装置に転換されることを特徴とする、Ｘ線撮影装置。
【請求項３】
Ｘ線を発生させるＸ線光源部と、前記Ｘ線光源部から発生したＸ線を検出するＸ線センサー部を備えるＸ線撮影装置において、
前記Ｘ線センサー部は、パノラマセンサーが取り外し可能に取り付けられる第１センサー取付部、およびＣＴセンサーが取り外し可能に取り付けられるＣＴセンサー取付部を備え、
前記Ｘ線撮影装置は、前記パノラマセンサーを前記第１センサー取付部に取り付ければ、パノラマ撮影装置に転換され、前記パノラマセンサーを前記第１センサー取付部から取り外し、前記ＣＴセンサーを前記ＣＴセンサー取付部に取り付ければ、ＣＴ撮影装置に転換されることを特徴とする、Ｘ線撮影装置。
【請求項４】
Ｘ線を発生させるＸ線光源部と、前記Ｘ線光源部から発生したＸ線を検出するＸ線センサー部を備えるＸ線撮影装置において、
前記Ｘ線センサー部は、ＣＴセンサーを備え、パノラマ撮影または頭部計測撮影に使用するＸ線センサーが取り外し可能に取り付けられる第１センサー取付部および第２センサー取付部を備え、
前記Ｘ線撮影装置は、前記Ｘ線センサーを前記第１センサー取付部に取り付ければ、パノラマ撮影装置に転換され、前記Ｘ線センサーを前記第２センサー取付部に取り付ければ、頭部計測撮影装置に転換され、前記Ｘ線センサーを前記第１センサー取付部および第２センサー取付部から取り外せば、ＣＴ撮影装置に転換されることを特徴とする、Ｘ線撮影装置。
【請求項５】
Ｘ線を発生させるＸ線光源部と、前記Ｘ線光源部から発生したＸ線を検出するＸ線センサー部を備えるＸ線撮影装置において、
前記Ｘ線センサー部は、ＣＴセンサーが取り外し可能に取り付けられるＣＴセンサー取付部と、パノラマ撮影または頭部計測撮影に使用するＸ線センサーが取り外し可能に取り付けられる第１センサー取付部および第２センサー取付部を備え、
前記Ｘ線撮影装置は、前記Ｘ線センサーを前記第１センサー取付部に取り付ければ、パラノマ撮影装置に転換され、前記Ｘ線センサーを前記第２センサー取付部に取り付ければ、頭部計測撮影装置に転換され、前記Ｘ線センサーを前記第１センサー取付部および前記第２センサー取付部から取り外すとともに前記ＣＴセンサーを前記ＣＴセンサー取付部に取り付ければ、ＣＴ撮影装置に転換されることを特徴とする、Ｘ線撮影装置。
【請求項６】
前記第１センサー取付部は、前記ＣＴセンサーに比べて前記Ｘ線光源のさらに近く配置されることを特徴とする、請求項２〜５のいずれか１項に記載のＸ線撮影装置。
【発明の詳細な説明】
【技術分野】
【０００１】
本発明は、Ｘ線撮影装置に係り、さらに詳しくは、パノラマセンサー、ＣＴ(Computerized Tomography)センサーまたは頭部計測センサーの取り付けまたは取り外しに応じて、当該モードのパノラマ、ＣＴまたは頭部計測撮影装置に自動変換されるＸ線撮影装置に関する。
【背景技術】
【０００２】
歯科診療分野において、ＣＴ(Computerized Tomography)Ｘ線撮影装置は、撮影しようとする歯列部位に一定量のＸ線束を透過させ、Ｘ線センサーによってＸ線透過量を測定し、その測定されたデータをメモリに記録し、コンピュータによって撮影部位の各点のＸ線吸収率を求め、これを画像として再構成する撮影装置である。パノラマＸ線撮影装置は、歯列弓の形態に応じて必要な軌跡に沿って回転しながら断層撮影を行う撮影装置である。頭部計測Ｘ線撮影装置は、矯正治療または顎矯正手術に主に用いられる撮影装置であって、患者の頭部を撮影する装置である。
【０００３】
このようなパノラマＸ線撮影装置、ＣＴＸ線撮影装置または頭部計測Ｘ線撮影装置を用いてパノラマ画像、ＣＴ画像または頭部計測画像を得ることができる。ところが、治療目的に応じて様々なモードの画像を一挙に得ようとする場合には、それぞれのＸ線撮影装置を用いて画像を別個に撮影して得なければならないという煩わしさがある。このような不便さを解消するために、前記パノラマ画像、ＣＴ画像または頭部計測画像を一つの装置で提供することが可能なＸ線撮影装置が研究されている。例えば、パノラマ画像およびＣＴ画像の両方ともを提供することが可能なパノラマおよびＣＴ兼用Ｘ線撮影装置や、パノラマ画像と頭部計測画像の両方ともを提供することが可能なパノラマおよび頭部計測兼用Ｘ線撮影装置など、様々なモードの画像を同時に提供することが可能なＸ線撮影装置が開発されている。
【０００４】
ところが、従来のＸ線撮影装置は、様々なモードの画像を一挙に得るために、別途のモード転換手段を備えなければならないうえ、撮影しようとするモードに応じて手動でモードを転換しなければならないという不便さがある。
【発明の概要】
【発明が解決しようとする課題】
【０００５】
そこで、本発明は、上述した従来の技術の問題点を解決するためのもので、その目的は、パノラマセンサー、ＣＴセンサーまたは頭部計測センサの取り付けまたは取り外しに応じて、当該モードを有するパノラマ撮影、ＣＴ撮影または頭部計測撮影装置に自動変換されるＸ線撮影装置を提供することにある。
【課題を解決するための手段】
【０００６】
上記目的を達成するために、本発明のある観点によれば、Ｘ線を発生させるＸ線光源部と、前記Ｘ線光源部から発生したＸ線を検出するＸ線センサー部を備えるＸ線撮影装置において、前記Ｘ線センサー部は、パノラマセンサー、ＣＴセンサーおよび頭部計測センサーよりなる群から選ばれたいずれか一つのセンサーが取り外し可能に取り付けられる少なくとも一つのＸ線センサー取付部を備え、前記Ｘ線撮影装置は、パラノマセンサー、ＣＴセンサーおよび頭部計測センサーよりなる群から選ばれたいずれか一つのセンサーをいずれか一つのＸ線センサー取付部に取り付ければ、当該Ｘ線撮影装置に転換されることを特徴とする、Ｘ線撮影装置を提供する。
【０００７】
上記目的を達成するために、本発明の他の観点によれば、Ｘ線を発生させるＸ線光源部と、前記Ｘ線光源部から発生したＸ線を検出するＸ線センサー部を備えるＸ線撮影装置において、前記Ｘ線センサー部は、パノラマセンサーが取り外し可能に取り付けられる第１センサー取付部、およびＣＴセンサーを備え、前記Ｘ線撮影装置は、前記パノラマセンサーを前記第１センサー取付部に取り付ければ、パノラマ撮影装置に転換され、前記パノラマセンサーを前記第１センサー取付部から取り外せば、ＣＴ撮影装置に転換されることを特徴とする、Ｘ線撮影装置を提供する。
【０００８】
上記目的を達成するために、本発明の別の観点によれば、Ｘ線を発生させるＸ線光源部と、前記Ｘ線光源部から発生したＸ線を検出するＸ線センサー部を備えるＸ線撮影装置において、前記Ｘ線センサー部は、パノラマセンサーが取り外し可能に取り付けられる第１センサー取付部、およびＣＴセンサーが取り外し可能に取り付けられるＣＴセンサー取付部を備え、前記Ｘ線撮影装置は、前記パノラマセンサーを前記第１センサー取付部に取り付ければ、パノラマ撮影装置に転換され、前記パノラマセンサーを前記第１センサー取付部から取り外すとともに前記ＣＴセンサーを前記ＣＴセンサー取付部に取り付ければ、ＣＴ撮影装置に転換されることを特徴とする、Ｘ線撮影装置を提供する。
上記目的を達成するために、本発明の別の観点によれば、Ｘ線を発生させるＸ線光源部と、前記Ｘ線光源部から発生したＸ線を検出するＸ線センサー部を備えるＸ線撮影装置において、前記Ｘ線センサー部は、ＣＴセンサーを備え、パノラマ撮影または頭部計測撮影に使用するＸ線センサーが取り外し可能に取り付けられる第１センサー取付部および第２センサー取付部を備え、前記Ｘ線撮影装置は、前記Ｘ線センサーを前記第１センサー取付部に取り付ければ、パノラマ撮影装置に転換され、前記Ｘ線センサーを前記第２センサー取付部に取り付ければ、頭部計測撮影装置に転換され、前記Ｘ線センサーを前記第１センサー取付部および前記第２センサー取付部から取り外せば、ＣＴ撮影装置に転換されることを特徴とする、Ｘ線撮影装置を提供する。
上記目的を達成するために、本発明の別の観点によれば、Ｘ線を発生させるＸ線光源部と、前記Ｘ線光源部から発生したＸ線を検出するＸ線センサー部を備えるＸ線撮影装置において、前記Ｘ線センサー部は、ＣＴセンサーが取り外し可能に取り付けられるＣＴセンサー取付部と、パノラマ撮影または頭部計測撮影に使用するＸ線センサーが取り外し可能に取り付けられる第１センサー取付部および第２センサー取付部を備え、前記Ｘ線撮影装置は、前記Ｘ線センサーを前記第１センサー取付部に取り付ければ、パラノマ撮影装置に転換され、前記Ｘ線センサーを前記第２センサー取付部に取り付ければ、頭部計測撮影装置に転換され、前記Ｘ線センサーを前記第１センサー取付部および前記第２センサー取付部から取り外すとともに前記ＣＴセンサーを前記ＣＴセンサー取付部に取り付ければ、ＣＴ撮影装置に転換されることを特徴とする、Ｘ線撮影装置を提供する。
【０００９】
上記目的を達成するために、本発明の別の観点によれば、Ｘ線を発生させるＸ線光源部と、前記Ｘ線光源部から発生したＸ線を検出するＸ線センサー部とを備えるＸ線撮影装置において、前記Ｘ線センサー部は、パノラマセンサーが取り外し可能に取り付けられる第１センサー取付部、およびＣＴセンサーを備え、前記Ｘ線撮影装置は、前記パラノマセンサーを前記第１センサー取付部に取り付ければ、パノラマ撮影装置に転換され、前記第１センサー取付部を一定の方向にスライドさせれば、ＣＴ撮影装置に転換されることを特徴とする、Ｘ線撮影装置を提供する。
【００１０】
上記目的を達成するために、本発明の別の観点によれば、Ｘ線を発生させるＸ線光源部と、前記Ｘ線光源部から発生したＸ線を検出するＸ線センサー部を備えるＸ線撮影装置において、前記Ｘ線センサー部は、パノラマセンサーおよびＣＴセンサーを備えるが、駆動手段を備えているため、前記パノラマセンサーと前記ＣＴセンサーとの間の一定地点を中心軸にして回転駆動し、前記Ｘ線撮影装置は、前記パノラマセンサーと前記Ｘ線光源部とが対向するように前記Ｘ線センサー部が回転駆動されれば、パラノマ撮影装置に転換され、前記ＣＴセンサーと前記Ｘ線光源部とが対向するように前記Ｘ線センサー部が回転駆動されれば、ＣＴ撮影装置に転換されることを特徴とする、Ｘ線撮影装置を提供する。
【００１１】
上記目的を達成するために、本発明の別の観点によれば、Ｘ線を発生させるＸ線光源部と、前記Ｘ線光源部から発生したＸ線を検出するＸ線センサー部を備えるＸ線撮影装置において、前記Ｘ線センサー部は、ＣＴセンサーを備え、パノラマ撮影または頭部計測撮影に使用するＸ線センサーが取り外し可能に取り付けられる第１センサー取付部および第２センサー取付部を備え、前記Ｘ線撮影装置は、前記Ｘ線センサーを前記第１センサー取付部に取り付ければ、パノラマ撮影装置に転換され、前記Ｘ線センサーを前記第２センサー取付部に取り付ければ、頭部計測撮影装置に転換され、前記Ｘ線センサーの取り付けられた前記第１センサー取付部を一定の方向にスライドさせあるいは前記Ｘ線センサーを前記第２センサー取付部から取り外せば、ＣＴ撮影装置に転換されることを特徴とする、Ｘ線撮影装置を提供する。
【００１２】
好適な実施例において、前記第１センサー取付部は、前記ＣＴセンサーに比べて前記Ｘ線光源からさらに近く配置される。
【００１３】
好適な実施例において、前記Ｘ線光源部は、駆動手段を備えているため、前記Ｘ線センサー部に近くなる方向または前記Ｘ線センサー部から遠くなる方向に駆動できる。
【発明の効果】
【００１４】
本発明によれば、パノラマセンサー、ＣＴセンサーまたは頭部計測センサーの取り付けまたは取り外しに応じて、当該モードの撮影装置に自動変換させることにより、パノラマ撮影装置、ＣＴ撮影装置または頭部計測撮影装置に容易に転換させて様々なモードの画像を一挙に撮影することができるという効果を提供する。
【００１５】
本発明について好適な実施例を参照して説明するが、当該分野における当業者であれば、本発明の範囲および精神から逸脱することなく、様々に修正または変形を加えることができるであろう。
【図面の簡単な説明】
【００１６】
【図１】本発明の第１実施例に係るＸ線撮影装置を説明する図である。
【図２】本発明の第１実施例に係るＸ線撮影装置を説明する図である。
【図３】本発明の第２実施例に係るＸ線撮影装置を説明する図である。
【図４】本発明の第２実施例に係るＸ線撮影装置を説明する図である。
【図５】本発明の第３実施例に係るＸ線撮影装置を説明する図である。
【図６】本発明の第３実施例に係るＸ線撮影装置を説明する図である。
【図７】本発明の第３実施例に係るＸ線撮影装置を説明する図である。
【図８】本発明の第４実施例に係るＸ線撮影装置を説明するための図である。
【図９】本発明の第４実施例に係るＸ線撮影装置を説明するための図である。
【図１０】本発明の第４実施例に係るＸ線撮影装置を説明するための図である。
【発明を実施するための形態】
【００１７】
以下、本発明に係るＸ線撮影装置をより具体的に説明するために、本発明に係る好適な実施例を添付図面に基づいて説明する。ところが、本発明はこれらの実施例に限定されず、他の形態にも具体化できる。明細書全体にわたって、同一の参照番号は同一の構成要素を示す。
図１および図２は本発明の第１実施例に係るＸ線撮影装置を説明する図である。
図１および図２を参照すると、前記Ｘ線撮影装置１００は、回転アーム１１０、Ｘ線光源部１２０、Ｘ線センサー部１３０、回転アーム支持部材１４０、および回転アーム駆動手段１５０などから構成されており、パノラマ撮影およびＣＴ撮影を行うことができる。
前記回転アーム１１０は、その一端にはＸ線光源部１２０が連結されており、他の一端にはＸ線センサー部１３０が備えられている。前記Ｘ線光源部１２０と前記Ｘ線センサー部１３０とが互いに対向するように配置されている。また、前記回転アーム１１０は、前記回転アーム支持部材１４０によって支持され、回転アーム駆動手段１５０によってパノラマ撮影またはＣＴ撮影による軌跡に従って駆動できる。
前記Ｘ線光源部１２０では、Ｘ線を発生させて対象物１６０としての患者に照射する。前記Ｘ線光源部１２０内にはＸ線ソースおよびコリメータが備えられているから、発生したＸ線を、対象物を通過させて前記Ｘ線センサー部１３０に照射する。
前記Ｘ線センサー部１３０は、Ｘ線を受け入れて電気信号に変換する装置であって、前記Ｘ線光源部１２０から発生したＸ線を検出して画像を獲得した後、獲得した画像を外部に伝送する。
前記Ｘ線センサー部１３０は、固定されるＣＴセンサー１３３、およびパノラマセンサー１３１が取り外し可能に取り付けられる第１センサー取付部１３２を備えている。この際、前記第１センサー取付部１３２は、前記ＣＴセンサー１３３に比べて、前記Ｘ線光源部１２０からさらに近く前記回転アーム１１０に配置される。
この際、前記Ｘ線光源部１２０と前記パノラマセンサー１３１との距離、および前記Ｘ線光源部１２０と前記ＣＴセンサー１３３との距離は、予め最適の拡大率に応じて調節される。
本発明の第１実施例に係るＸ線撮影装置１００を用いてパノラマ撮影を行おうとする場合には、図１に示すように、前記パノラマセンサー１３１を前記第１センサー取付部１３２に取り付けてパノラマ撮影を行う。すなわち、前記Ｘ線撮影装置１００は、前記パノラマセンサー１３１を前記第１センサー取付部１３２に取り付ければ、パノラマ撮影装置に自動変換される。したがって、前記Ｘ線撮影装置１００は、前記パノラマ撮影を行うプログラムが自動実行され、これにより前記回転アーム１１０などの機械的構成要素もパノラマ撮影装置に応じて自動調節される。
また、ＣＴ撮影を行おうとする場合には、図２に示すように、前記パノラマセンサー１３１を前記第１センサー取付部１３２から取り外してＣＴ撮影を行う。すなわち、前記Ｘ線撮影装置１００は、前記パノラマセンサー１３１を前記第１センサー取付部１３２から取り外せば、ＣＴ撮影装置に自動転換される。よって、前記Ｘ線撮影装置１００は、ＣＴ撮影を行うプログラムが自動実行され、これにより前記回転アーム１１０などの機械的構成要素もＣＴ撮影装置に応じて自動調節される。
前記パノラマセンサー１３１の取り付けまたは取り外しに応じて、前記Ｘ線撮影装置１００がパノラマ撮影装置またはＣＴ撮影装置に自動転換されるようにする方法としては、様々な方法を適用することができる。例えば、前記第１センサー取付部１３２の一定の部分にセンサーを設置して、前記パノラマセンサー１３１が取り付けられたか否かを感知し、その感知された信号を中央処理装置に送信すると、その信号に応じて制御手段によって当該撮影装置に転換する方法などを例示することができる。
図３および図４は本発明の第２実施例に係るＸ線撮影装置を説明する図である。
図３および図４を参照すると、前記Ｘ線撮影装置２００は、回転アーム１１０、Ｘ線光源部１２０、Ｘ線センサー部２３０、回転アーム支持部材１４０、および回転アーム駆動手段１５０などから構成されており、パノラマ撮影およびＣＴ撮影を行うことができる。
前記Ｘ線センサー部２３０は、ＣＴセンサー２３３が取り外し可能に取り付けられるＣＴセンサー取付部２３４と、パノラマセンサー２３１が取り外し可能に取り付けられる第１センサー取付部２３２を備えている。
この際、前記第１センサー取付部２３２は、前記ＣＴセンサー取付部２３４に取り付けられる前記ＣＴセンサー２３３に比べて、前記Ｘ線光源部１２０からさらに近く前記回転アーム１１０に配置されている。
本発明の第２実施例に係るＸ線撮影装置２００を用いてパノラマ撮影を行おうとする場合には、前記パノラマセンサー２３１を前記第１センサー取付部２３２に取り付けてパノラマ撮影を行う。すなわち、前記Ｘ線撮影装置２００は、前記パノラマセンサー２３１を前記第１センサー取付部２３２に取り付ければ、パノラマ撮影装置に自動転換される。
また、ＣＴ撮影を行おうとする場合には、図４に示すように、前記パノラマセンサ２３１を前記第１センサー取付部２３２から取り外すとともに、前記ＣＴセンサー２３３を前記ＣＴセンサー取付部２３４に取り付けてＣＴ撮影を行う。すなわち、前記Ｘ線撮影装置２００は、前記ＣＴセンサー２３３を前記ＣＴセンサー取付部２３４に取り付ければ、ＣＴ撮影装置に自動変換される。
本発明の第２実施例に係るＸ線撮影装置２００は、上述した以外は本発明の第１実施例に係るＸ線撮影装置と同様である。
図５〜図７は本発明の第３実施例に係るＸ線撮影装置を説明する図である。
図５〜図７を参照すると、前記Ｘ線撮影装置３００は、回転アーム３１０、水平アーム３８０、Ｘ線光源部３２０、Ｘ線センサー部３３０、回転アーム支持部材３４０、および回転アーム駆動手段３５０などから構成されており、パノラマ撮影、ＣＴ撮影および頭部計測撮影を行うことができる。
前記回転アーム３１０は、その一端にはＸ線光源部３２０が連結されており、他の一端にはＸ線センサー部３３０が連結されている。前記Ｘ線センサー部３３０は、パノラマセンサー３３１が取り外し可能に取り付けられる第１センサー取付部３３２、およびＣＴセンサー３３３を備えている。また、前記回転アーム３１０は、前記回転アーム支持部材３４０によって支持され、前記回転アーム駆動手段３５０によってパノラマ撮影またはＣＴ撮影による軌跡に従って駆動できる。
前記Ｘ線光源部３２０は、前記回転アーム３１０とは別途に駆動することができる。すなわち、前記回転アーム３４０と前記Ｘ線光源部３２０とが連結される部分にはＸ線光源部駆動手段（図示せず）が備えられているため、前記Ｘ線光源部３２０を駆動させることができる。よって、前記Ｘ線光源部３２０は、前記回転アーム３４０とは別途に、前記Ｘ線センサー部３３０に近くなる方向またはＸ線センサー部３３０から遠くなる方向に水平駆動できる。また、頭部計測撮影の場合、前記Ｘ線光源部３２０は、前記Ｘ線光源部駆動手段によって、前記回転アーム３４０とは別途に水平駆動され、あるいは一定の方向にチルトできる。
前記水平アーム３８０は、その一端には頭部計測センサー３３５が取り付けられる第２センサー取付部３３６を備えており、他の一端にはコリメータ３３７を備えている。また、前記水平アーム３８０は連結部材３９０によって支持される。
本発明の第３実施例に係るＸ線撮影装置３００を用いてパノラマ撮影を行おうとする場合には、図５に示すように、前記パノラマセンサー３３１を前記第１センサー取付部３３２に取り付けてパノラマ撮影を行う。すなわち、前記Ｘ線撮影装置３００は、前記パノラマセンサー３３１を前記第１センサー取付部３３２に取り付ければ、パノラマ撮影装置に自動転換される。
また、頭部計測撮影を行おうとする場合には、図６に示すように、前記パノラマセンサー３３１を前記第１センサー取付部３３２から取り外し、前記頭部計測センサー３３５を前記第２センサー取付部３３６に取り付けて頭部計測撮影を行う。この際、前記頭部計測センサー３３５は、パノラマ撮影に用いる前記パノラマセンサー３３１をそのまま使用することができる。すなわち、前記Ｘ線撮影装置３００は、前記パノラマセンサー３３１を前記第２センサー取付部３３６に取り付ければ、頭部計測撮影装置に自動転換される。したがって、前記回転アーム３１０は、前記回転アーム駆動手段３５０によって一定の角度で回転駆動されるように自動調節され、前記Ｘ線光源部３２０は、前記Ｘ線光源部駆動手段によって一定の角度でチルトされ、前記頭部計測センサー３３５と対向するように自動調節される。
また、ＣＴ撮影を行おうとする場合には、図７に示すように、前記パノラマセンサー３３１および頭部計測センサー３３５を前記第１センサー取付部３３２および第２センサー取付部３３６から取り外してＣＴ撮影を行う。すなわち、前記Ｘ線撮影装置３００は、前記パノラマセンサー３３１を前記第１センサー取付部３３２および第２センサー取付部３３６から取り外せば、ＣＴ撮影装置に自動転換される。
本発明の第３実施例に係るＸ線撮影装置３００は、上述した以外は本発明の第１実施例に係るＸ線撮影装置と同様である。
図８〜図１０は本発明の第４実施例に係るＸ線撮影装置を説明する図である。
図８〜図１０を参照すると、前記Ｘ線撮影装置４００は、回転アーム４１０、水平アーム４８０、Ｘ線光源部４２０、Ｘ線センサー部４３０、回転アーム支持部材４４０、および回転アーム駆動手段４５０などから構成されており、パノラマ撮影、ＣＴ撮影および頭部計測撮影を行うことができる。
前記回転アーム４１０は、その一端にはＸ線光源部４２０が連結されており、他の一端にはＸ線センサー部４３０が連結されている。前記Ｘ線センサー部４３０は、パノラマセンサー４３１が取り付けられる第１センサー取付部４３２、およびＣＴセンサー４３３が取り付けられるＣＴセンサー４３４を備えている。
前記Ｘ線光源部３２０は、前記回転アーム３１０とは別途に水平駆動され、あるいは一定の方向にチルトできる。
前記水平アーム４８０は、その一端には頭部計測センサー４３５が取り付けられる第２センサー取付部４３６を備えており、他の一端にはコリメータ４３７を備えている。
本発明の第４実施例に係るＸ線撮影装置４００を用いてパノラマ撮影を行おうとする場合には、図８に示すように、前記パノラマセンサー４３１を前記第１セサー取付部４３２に取り付けてパノラマ撮影を行う。すなわち、前記Ｘ線撮影装置４００は、前記パノラマセンサー４３１を前記第１センサー取付部４３２に取り付ければ、パノラマ撮影装置に自動転換される。
また、頭部計測撮影を行おうとする場合には、図９に示すように、前記パノラマセンサー４３１を前記第１センサー取付部４３２から取り外し、前記頭部計測センサー４３５を前記第２センサー取付部４３６に取り付けて頭部計測撮影を行う。この際、前記頭部計測センサー４３５は、パノラマ撮影に使用する前記パノラマセンサー４３１をそのまま使用することができる。すなわち、前記Ｘ線撮影装置４００は、前記パノラマセンサー４３１を前記第２センサー取付部４３６に取り付ければ、頭部計測撮影装置に自動転換される。したがって、前記回転アーム４１０は前記回転アーム駆動手段４５０によって一定の角度で回転駆動されるように自動調節され、前記Ｘ線光源部４２０は一定の角度でチルトされ、前記頭部計測センサー４３５と対向するように自動調節される。この際、前記ＣＴセンサー４３３は、前記ＣＴセンサー取付部４３４から取り外されている。よって、前記Ｘ線光源部４２０と前記頭部計測センサー４３５とが互いに対向していると、前記Ｘ線光源部４２０を一定の角度でチルトさせて整列することなく、頭部計測撮影を行うことができる。
また、ＣＴ撮影を行おうとする場合には、図１０に示すように、前記パノラマセンサー４３１および頭部計測センサー４３５を前記第１センサー取付部４３２および第２センサー取付部４３６から取り外すとともに、前記ＣＴセンサー４３３を前記ＣＴセンサー取付部４３４に取り付けてＣＴ撮影を行う。すなわち、前記Ｘ線撮影装置４００は、前記パノラマセンサー４３１を前記第１センサー取付部４３２および第２センサー取付部４３６から取り外し、前記ＣＴセンサー４３３を前記ＣＴセンサー取付部４３４に取り付けると、ＣＴ撮影装置に自動転換される。
本発明の第４実施例に係るＸ線撮影装置４００は、上述した以外は本発明の第３実施例に係るＸ線撮影装置と同様である。
【産業上の利用可能性】
【００１８】
本発明によれば、パノラマセンサー、ＣＴセンサーまたは頭部計測センサーの取り付けまたは取り外しに応じて、当該モードの撮影装置に自動変換させることにより、パノラマ撮影装置、ＣＴ撮影装置または頭部計測撮影装置に容易に転換させて様々なモードの画像を一挙に撮影することができる。
【符号の説明】
【００１９】
１００、２００、３００、４００：Ｘ線撮影装置
１１０、３１０：回転アーム
１２０、３２０：Ｘ線光源部
１３０、２３０、３３０、４３０：Ｘ線センサー部
１４０、３４０：回転アーム支持部材
１３１、２３１、３３１、４３１：パノラマセンサー
１３２、２３２、３３２、４３２：第１センサー取付部
１３３、２３３、３３３、４３３：ＣＴセンサー
３３５、４３５：頭部計測センサー
３３６、４３６：第２センサー取付部
２３４、４３４：ＣＴセンサー取付部
【図１】
2010505585.tif 000003
【図２】
2010505585.tif 000004
【図３】
2010505585.tif 000005
【図４】
2010505585.tif 000006
【図５】
2010505585.tif 000007
【図６】
2010505585.tif 000008
【図７】
2010505585.tif 000009
【図８】
2010505585.tif 000010
【図９】
2010505585.tif 000011
【図１０】
2010505585.tif 000012
【国際調査報告】
2010505585.tif 000013
2010505585.tif 000014